(57)【要約】      （修正有）【課題】コンテンツ反応型キオスク及びその駆動方法を提供する。【解決手段】支持台１１０と、前記支持台の上端に取り付けられたスクリーンモジュール１２０と、クラウドサーバ２００からコンテンツを受信するコンテンツ受信モジュール１３０と、前記受信したコンテンツに付加されたタグを分析して、前記コンテンツが横型コンテンツか縦型コンテンツかを判断するコンテンツ判断モジュール１４０と、前記判断の結果、前記コンテンツが横型コンテンツである場合には、前記スクリーンモジュールを横状態に回転して維持し、前記コンテンツが縦型コンテンツである場合には、前記スクリーンモジュールを縦状態に回転して維持するスクリーン駆動制御モジュール１５０と、前記受信したコンテンツを前記スクリーンモジュール上に再生するコンテンツ再生モジュール１６０とで構成される。【選択図】図１
2015026356.tif 000002
【特許請求の範囲】
【請求項１】
支持台と、
前記支持台の上端に取り付けられたスクリーンモジュールと、
クラウドサーバからコンテンツを受信するコンテンツ受信モジュールと、
前記受信したコンテンツに付加されたタグを分析して、前記コンテンツが横型コンテンツか縦型コンテンツかを判断するコンテンツ判断モジュールと、
前記判断の結果、前記コンテンツが横型コンテンツである場合には、前記スクリーンモジュールを横状態に回転して維持し、前記コンテンツが縦型コンテンツである場合には、前記スクリーンモジュールを縦状態に回転して維持するスクリーン駆動制御モジュールと、
前記受信したコンテンツを前記スクリーンモジュール上に再生するコンテンツ再生モジュールと、
を含むコンテンツ反応型キオスク。
【請求項２】
前記コンテンツ判断モジュールは、
前記コンテンツの再生中に前記コンテンツ内でフレーム別に付加されたタグを分析して、該当フレームが横型フレームか縦型フレームかを判断し、
前記スクリーン駆動制御モジュールは、
前記判断の結果、前記該当フレームが横型フレームである場合には、前記スクリーンモジュールを横状態に回転して維持し、前記該当フレームが縦型フレームである場合には、前記スクリーンモジュールを縦状態に回転して維持することを特徴とする、請求項１に記載のコンテンツ反応型キオスク。
【請求項３】
前記スクリーンモジュールの所定の縁部に取り付けられ、ユーザを認識するカメラモジュールを更に含むことを特徴とする、請求項２に記載のコンテンツ反応型キオスク。
【請求項４】
前記スクリーン駆動制御モジュールが、
前記スクリーンモジュールが、前記カメラモジュールで認識されたユーザに向くように、上下方向にチルト駆動することを特徴とする、請求項３に記載のコンテンツ反応型キオスク。
【請求項５】
前記ユーザのモーションを認識するモーションセンサを更に含むことを特徴とする、請求項４に記載のコンテンツ反応型キオスク。
【請求項６】
前記スクリーン駆動制御モジュールは、
前記モーションセンサで認識されたユーザのモーションが予め指定されたモーションと一致する場合、前記スクリーンモジュールが前記ユーザの動く方向に従って向くように、左右駆動することを特徴とする、請求項５に記載のコンテンツ反応型キオスク。
【請求項７】
コンテンツ受信モジュールが、クラウドサーバからコンテンツを受信する段階と、
コンテンツ判断モジュールが、前記受信したコンテンツに付加されたタグを分析して、前記コンテンツが横型コンテンツか縦型コンテンツかを判断する段階と、
前記判断の結果、スクリーン駆動制御モジュールが、前記コンテンツが横型コンテンツである場合には、支持台の上端に取り付けられたスクリーンモジュールを横状態に回転して維持し、前記コンテンツが縦型コンテンツである場合には、前記スクリーンモジュールを縦状態に回転して維持する段階と、
カメラモジュールがユーザを認識する段階と、
前記スクリーン駆動制御モジュールが、前記カメラモジュールで認識されたユーザに向くように、上下方向にチルト駆動する段階と、
コンテンツ再生モジュールが、前記受信したコンテンツを前記スクリーンモジュール上に再生する段階と、
を含むコンテンツ反応型キオスクの駆動方法。
【請求項８】
前記コンテンツ判断モジュールが、前記コンテンツの再生中に前記コンテンツ内でフレーム別に付加されたタグを分析して、該当フレームが横型フレームか縦型フレームかを判断する段階と、
前記判断の結果、前記スクリーン駆動制御モジュールが前記該当フレームが横型フレームである場合には、前記スクリーンモジュールを横状態に回転して維持し、前記該当フレームが縦型フレームである場合には、前記スクリーンモジュールを縦状態に回転して維持する段階と、
を更に含むことを特徴とする、請求項７に記載のコンテンツ反応型キオスクの駆動方法。
【請求項９】
モーションセンサが、前記ユーザのモーションを認識する段階を更に含むことを特徴とする、請求項８に記載のコンテンツ反応型キオスクの駆動方法。
【請求項１０】
前記モーションセンサで認識されたユーザのモーションが予め指定されたモーションと一致する場合、前記スクリーン駆動制御モジュールは、前記スクリーンモジュールが前記ユーザの動く方向に従って向くように、左右駆動する段階を更に含むことを特徴とする、請求項９に記載のコンテンツ反応型キオスクの駆動方法。
【発明の詳細な説明】
【技術分野】
【０００１】
本発明はキオスク及びその駆動方法に関し、より具体的には、コンテンツ反応型キオスク及びその駆動方法に関する。
【背景技術】
【０００２】
従来、キオスクは講義室や自動車販売代理店、街頭など様々な場所で用いられている。
【０００３】
キオスクは、ネットワークに接続されて多様なコンテンツの提供を受け、教育や商品販売など多様な領域で利用されている。
【０００４】
例えば、教室では教育用コンテンツが再生されるように構成され、自動車代理店ではあらゆる色や種類の自動車を展示できないので、キオスクに多様な自動車ギャラリーをディスプレイするように構成されたりする。
【０００５】
このように、キオスクはユーザに多様な情報を提供する情報提供装置として機能している。このようなキオスクは、教育用又は商品販売用、情報案内用などの多様なコンテンツを該当目的に合うように提供しており、各キオスクは、特定の目的のために利用されている。
【０００６】
該当キオスクでは教育用コンテンツが提供されたり、自動車ギャラリーが提供されるなど本来の目的があるので、該当コンテンツに最適化される必要がある。
【０００７】
大半のキオスクは、その画面が縦型に固定されて製作されるが、コンテンツの種類によっては、縦型よりは横型の画面がより適した場合も多い。
【０００８】
例えば、小道に沿って走るキャラクタがあるとすれば、その小道のイメージは縦型にディスプレイされることが適切であり、飛行機の滑走路の着陸シミュレーションに関するコンテンツも縦型ディスプレイの方がより適切であり得る。
【０００９】
しかし、自動車ギャラリーの場合には、自動車が横長状であるので、横型の画面にディスプレイされることが適切である。
【００１０】
このように、コンテンツ自体が縦型コンテンツか、横型コンテンツかによってキオスクの画面も横型又は縦型に製作されれば、ユーザはコンテンツをより便利に鑑賞し、楽しむことができる。
【００１１】
しかし、従来はコンテンツの種類と関係なく、主に縦型画面のみハードウェアで製作されるという限界がある。
【００１２】
一方、ユーザは大人、子供又は背の高い人、背の低い人など、多様な体格と身長を有しているが、既存のキオスクは固定的な形状で製作されるので、ユーザに適合するように、画面の方向が合せられるようにできていない。即ち、子供らは、画面の高さが高いキオスクでは正常に画面を見ることができない。背があまりにも高い人も前方の画面を見るためには、膝や腰を曲げなければ、画面が見られなかったり、タッチ操作ができない。
【００１３】
そのため、ユーザの身長や方向によって、キオスクの画面を流動的に操作し運用する必要がある。
【発明の概要】
【発明が解決しようとする課題】
【００１４】
本発明は上記事情に鑑みてなされたものであって、その目的は、コンテンツ反応型キオスクを提供することにある。
【００１５】
本発明の他の目的は、コンテンツ反応型キオスクの駆動方法を提供することにある。
【課題を解決するための手段】
【００１６】
前述した本発明の目的によるコンテンツ反応型キオスクは、支持台と、前記支持台の上端に取り付けられたスクリーンモジュールと、クラウドサーバからコンテンツを受信するコンテンツ受信モジュールと、前記受信したコンテンツに付加されたタグを分析して、前記コンテンツが横型コンテンツか縦型コンテンツかを判断するコンテンツ判断モジュールと、前記判断結果、前記コンテンツが横型コンテンツである場合には、前記スクリーンモジュールを横状態に回転して維持し、前記コンテンツが縦型コンテンツである場合には、前記スクリーンモジュールを縦状態に回転して維持するスクリーン駆動制御モジュールと、前記受信したコンテンツを前記スクリーンモジュール上に再生するコンテンツ再生モジュールとを含むように構成され得る。
【００１７】
このとき、前記コンテンツ判断モジュールは、前記コンテンツの再生中に前記コンテンツ内でフレーム別に付加されたタグを分析して、該当フレームが横型フレームか縦型フレームかを判断し、前記スクリーン駆動制御モジュールは、前記判断結果、前記該当フレームが横型フレームである場合には、前記スクリーンモジュールを横状態に回転して維持し、前記該当フレームが縦型フレームである場合には、前記スクリーンモジュールを縦状態に回転して維持するように構成され得る。
【００１８】
そして、前記スクリーンモジュールの所定の縁部に取り付けられ、ユーザを認識するカメラモジュールを更に含むように構成され得る。
【００１９】
また、前記スクリーン駆動制御モジュールが、前記スクリーンモジュールが前記カメラモジュールで認識されたユーザに向くように、上下方向にチルト（ｔｉｌｔｉｎｇ）駆動するように構成され得る。
【００２０】
更に、前記ユーザのモーションを認識するモーションセンサ（ｍｏｔｉｏｎｓｅｎｓｏｒ）を更に含むように構成され得る。
【００２１】
そして、前記スクリーン駆動制御モジュールは、前記モーションセンサで認識されたユーザのモーションが予め指定されたモーションと一致する場合、前記スクリーンモジュールが前記ユーザの動く方向に従って向くように、左右駆動するように構成され得る。
【００２２】
前述した本発明の他の目的によるコンテンツ反応型キオスクの駆動方法は、コンテンツ受信モジュールがクラウドサーバからコンテンツを受信する段階と、コンテンツ判断モジュールが前記受信したコンテンツに付加されたタグを分析して、前記コンテンツが横型コンテンツか縦型コンテンツかを判断する段階と、前記判断結果、スクリーン駆動制御モジュールが、前記コンテンツが横型コンテンツである場合には、支持台の上端に取り付けられたスクリーンモジュールを横状態に回転して維持し、前記コンテンツが縦型コンテンツである場合には、前記スクリーンモジュールを縦状態に回転して維持する段階と、カメラモジュールがユーザを認識する段階と、前記スクリーン駆動制御モジュールが前記カメラモジュールで認識されたユーザに向くように、上下方向にチルト駆動する段階と、コンテンツ再生モジュールが前記受信したコンテンツを前記スクリーンモジュール上に再生する段階とを含むように構成され得る。
【００２３】
そして、前記コンテンツ判断モジュールが前記コンテンツの再生中に前記コンテンツ内でフレーム別に付加されたタグを分析して該当フレームが横型フレームか、縦型フレームかを判断する段階と、前記判断結果、前記スクリーン駆動制御モジュールが、前記該当フレームが横型フレームである場合には、前記スクリーンモジュールを横状態に回転して維持し、前記該当フレームが縦型フレームである場合には、前記スクリーンモジュールを縦状態に回転して維持する段階とを更に含むように構成され得る。
【００２４】
また、モーションセンサが前記ユーザのモーションを認識する段階を更に含むように構成され得る。
【００２５】
更に、前記モーションセンサで認識されたユーザのモーションが予め指定されたモーションと一致する場合、前記スクリーン駆動制御モジュールは、前記スクリーンモジュールが前記ユーザの動く方向に従って向くように、左右駆動する段階を更に含むように構成され得る。
【発明の効果】
【００２６】
前記のようなコンテンツ反応型キオスク及びその駆動方法によれば、コンテンツの特性によってキオスクのスクリーンモジュールを横型に回転して維持するか、縦型に回転して維持するように構成されることによって、コンテンツのタイプに最適化された画面を提供するように構成され得るという効果を奏する。ユーザは、コンテンツを鑑賞したり、タッチ操作を行う際にも、より便利に使用できるという長所があり、既存の固定された形態のハードウェアで構成されるキオスクの短所を克服し、コンテンツの種類と関係なく、自然に再生して利用できるという長所がある。
【００２７】
また、カメラモジュールを用いてユーザを認識してユーザの身長に合わせてスクリーンモジュールを上下方向にチルト駆動してユーザの利便性を最大化し、ユーザが特定のモーションを取れば、これをモーションセンサが認識してスクリーンモジュールが動くユーザに向かって動的に方向移動を行うことで、ユーザ中心のキオスクを実現するという効果がある。
【図面の簡単な説明】
【００２８】
【図１】本発明の一実施形態によるコンテンツ反応型キオスクのブロック構成図である。
【図２】本発明の一実施形態によるコンテンツ反応型キオスクの縦型駆動の例示図である。
【図３】本発明の一実施形態によるコンテンツ反応型キオスクの横型駆動の例示図である。
【図４】本発明の一実施形態によるコンテンツ反応型キオスクの側面図である。
【図５】本発明の一実施形態によるコンテンツ反応型キオスクの平面図である。
【図６】本発明の一実施形態によるコンテンツ反応型キオスクの駆動方法を示すフローチャートである。
【発明を実施するための形態】
【００２９】
本発明は様々な変更を加えることが可能であり、様々な実施形態を有し得るため、特定の実施形態を図面に例示し、発明を実施するための具体的な内容について詳細に説明する。しかし、これは、本発明を特定の実施形態に対して限定しようとするものではなく、本発明の思想及び技術範囲に含まれるあらゆる変更、均等物乃至代替物を含むものとして理解されるべきである。各図面を説明するにあたり、類似の参照符号を類似の構成要素に対して用いた。
【００３０】
以下、本発明による好適な実施形態を添付の図面を参照して詳細に説明する。
【００３１】
図１は、本発明の一実施形態によるコンテンツ反応型キオスクのブロック構成図である。
【００３２】
図１を参照すれば、本発明の一実施形態によるコンテンツ反応型キオスク１００は、支持台１１０、スクリーンモジュール１２０、コンテンツ受信モジュール１３０、コンテンツ判断モジュール１４０、スクリーン駆動制御モジュール１５０、コンテンツ再生モジュール１６０、カメラモジュール１７０、モーションセンサ１８０を含むように構成され得る。
【００３３】
コンテンツ反応型キオスク１００は、コンテンツ自体が横型コンテンツか、それとも縦型コンテンツかを把握し、スクリーンモジュール１２０を横型に回転駆動したり、縦型に回転駆動するように構成される。
【００３４】
また、コンテンツ反応型キオスク１００は、カメラモジュール１７０を用いてユーザを認識し、ユーザに向かってスクリーンモジュール１２０を上下方向にチルト駆動することで、背の高いか低いユーザが容易に画面を見ることができるように構成される。
【００３５】
そして、コンテンツ反応型キオスク１００は、モーションセンサ１８０によりユーザの動作を検知するように構成され、ユーザが予め指定された動作を行いながら動く場合、ユーザに従ってスクリーンモジュール１２０の方向を左右方向に駆動するように構成される。例えば、ユーザが片手を上げて動けば、これを認識し、ユーザに従ってスクリーンモジュール１２０の方向を動かす。
【００３６】
以下、細部の構成について説明する。
【００３７】
支持台１１０は、その下端が底面を支持し、その上端にはスクリーンモジュール１２０が取り付けられるように構成される。
【００３８】
スクリーンモジュール１２０は、支持台１２０の上端に取り付けられ、タッチスクリーンで構成され得る。
【００３９】
コンテンツ受信モジュール１３０は、クラウドサーバ２００からコンテンツを受信するように構成され得る。
【００４０】
コンテンツ判断モジュール１４０は、コンテンツ受信モジュール１３０から受信したコンテンツに付加されたタグを分析するように構成され、分析されたタグを通じてコンテンツが横型コンテンツか、縦型コンテンツかを判断するように構成され得る。タグには、該当コンテンツが横型コンテンツである場合には、横型コンテンツであることを指示し、該当コンテンツが縦型コンテンツである場合には、縦型コンテンツであることを指示するように構成され得る。また、タグは、該当コンテンツが横型／縦型の混合コンテンツである場合には、横型／縦型混合コンテンツであることを指示するように構成され得る。
【００４１】
このとき、横型／縦型の混合コンテンツである場合には、コンテンツ判断モジュール１４０は、コンテンツの再生中にコンテンツ内でフレーム別に付加されたタグを分析して該当フレームが横型フレームか、縦型フレームかを判断するように構成され得る。
【００４２】
スクリーン駆動制御モジュール１５０は、コンテンツ判断モジュール１４０の判断結果、コンテンツが横型コンテンツである場合には、スクリーンモジュール１２０を横状態に回転して維持し、コンテンツが縦型コンテンツである場合には、スクリーンモジュール１２０を縦状態に回転して維持するように構成され得る。
【００４３】
このとき、横型／縦型の混合コンテンツである場合には、スクリーン駆動制御モジュール１５０は、各フレームのタグを分析した結果、該当フレームが横型フレームである場合には、スクリーンモジュール１２０を横状態に回転して維持し、該当フレームが縦型フレームである場合には、スクリーンモジュール１２０を縦状態に回転して維持するように構成され得る。
【００４４】
コンテンツ再生モジュール１６０は、コンテンツ受信モジュール１３０から受信したコンテンツをスクリーンモジュール１２０上に再生するように構成され得る。
【００４５】
カメラモジュール１７０は、スクリーンモジュール１２０の所定の縁部に取り付けられ、ユーザを認識するように構成され得る。カメラモジュール１７０は、人の顔型、そして目の位置などを形状把握できるように構成されることが好ましい。これにより、ユーザの目の位置がどの程度の高さにあるかが分かる。
【００４６】
このとき、スクリーン駆動制御モジュール１５０は、スクリーンモジュール１２０がカメラモジュール１７０で認識されたユーザに向くように、上下方向にチルト駆動するように構成され得る。
【００４７】
モーションセンサ１８０は、ユーザのモーションを認識するように構成され得る。モーションセンサ１８０としてＭＳキネテイックセンサが利用され得る。
【００４８】
このとき、スクリーン駆動制御モジュール１５０は、モーションセンサ１８０で認識されたユーザのモーションが予め指定されたモーションと一致する場合、スクリーンモジュール１２０がユーザの動く方向に従って向くように、左右駆動するように構成され得る。例えば、ユーザが片腕を上げるか、又は上げた後に左側又は右側に動けば、ユーザの移動方向に従ってスクリーンモジュール１２０が共に左右に動くように構成され得る。
【００４９】
図２は、本発明の一実施形態によるコンテンツ反応型キオスクの縦型駆動の例示図である。
【００５０】
図２によれば、スクリーンモジュール１２０に縦型イメージである小道のイメージがディスプレイされていることが分かる。これにより、スクリーンモジュール１２０が縦型に回転駆動されて維持された状態にある。
【００５１】
図３は、本発明の一実施形態によるコンテンツ反応型キオスクの横型駆動の例示図である。
【００５２】
図３を参照すると、スクリーンモジュール１２０に 横型イメージである自動車のイメージがディスプレイされていることが分かる。これにより、スクリーンモジュール１２０が横型に回転駆動されて維持された状態にあることが分かる。
【００５３】
図４は、本発明の一実施形態によるコンテンツ反応型キオスクの側面図であり、図５は、その平面図である。
【００５４】
図４を参照すると、コンテンツ反応型キオスク１００のスクリーン駆動制御モジュール１５０は、第１回動ベース１５１、第２回動ベース１５２及び第３回動ベース１５３を含むように構成され得る。
【００５５】
ここで、第１回動ベース１５１は、第１回動モータ１５１ａ、第１回動軸１５１ｂを含み、第２回動ベース１５２は、第２回動モータ１５２ａ、第２回動軸１５２ｂを含み、第３回動ベース１５３は、第３回動モータ１５３ａ、第３回動軸１５３ｂを含むように構成され得る。
【００５６】
第１回動ベース１５１は、第１回動モータ１５１ａを駆動して第１回動軸１５１ａを回転させることで、スクリーンモジュール１２０を横型又は縦型に回転して維持するように利用される。
【００５７】
そして、第２回動ベース１５２は、第２回動モータ１５２ａを駆動して第２回動軸１５２ａを回転させることで、スクリーンモジュール１２０を上下方向にチルト駆動するのに利用される。
【００５８】
また、第３回動ベース１５３は、第３回動モータ１５３ａを駆動して第３回動軸１５３ｂを回転させることで、スクリーンモジュール１２０を左右方向に駆動するのに利用される。
【００５９】
図７は、本発明の一実施形態によるコンテンツ反応型キオスクの駆動方法を示すフローチャートである。
【００６０】
図７を参照すれば、コンテンツ受信モジュール１３０がクラウドサーバ２００からコンテンツを受信する（Ｓ１０１）。
【００６１】
次に、コンテンツ判断モジュール１４０がコンテンツ受信モジュール１３０から受信したコンテンツに付加されたタグを分析して該当コンテンツが横型コンテンツか、縦型コンテンツかを判断する（Ｓ１０２）。
【００６２】
前記判断結果、スクリーン駆動制御モジュール１５０が、該当コンテンツが横型コンテンツである場合には、支持台１１０の上端に取り付けられたスクリーンモジュール１２０を横状態に回転して維持し、該当コンテンツが縦型コンテンツである場合には、スクリーンモジュール１２０を縦状態に回転して維持する（Ｓ１０３）。
【００６３】
次に、カメラモジュール１７０がユーザを認識する（Ｓ１０４）。
【００６４】
次に、スクリーン駆動制御モジュール１５０がカメラモジュール１７０で認識されたユーザに向くように、上下方向にチルト駆動する（Ｓ１０５）。
【００６５】
次に、コンテンツ再生モジュール１６０がコンテンツ受信モジュール１３０から受信したコンテンツをスクリーンモジュール１２０上に再生する（Ｓ１０６）。
【００６６】
次に、コンテンツ判断モジュール１３０がコンテンツの再生中にコンテンツ内でフレーム別に付加されたタグを分析して該当フレームが横型フレームか、縦型フレームかを判断する（Ｓ１０７）。
【００６７】
前記判断結果、スクリーン駆動制御モジュール１５０が、該当フレームが横型フレームである場合には、スクリーンモジュール１２０を横状態に回転して維持し、該当フレームが縦型フレームである場合には、スクリーンモジュール１２０を縦状態に回転して維持する（Ｓ１０８）。
【００６８】
次に、モーションセンサ１８０がユーザのモーションを認識する（Ｓ１０９）。
【００６９】
次に、モーションセンサ１８０で認識されたユーザのモーションが予め指定されたモーションと一致する場合、スクリーン駆動制御モジュール１５０は、スクリーンモジュール１２０がユーザの動く方向に従って向くように、左右駆動する（Ｓ１１０）。
【００７０】
以上、実施形態を参照して説明したが、該当技術分野における熟練した当業者は、下記の特許請求の範囲に記載された本発明の思想及び領域から逸脱しない範囲内で本発明を多様に修正及び変更させることができることが理解できるはずである。
【符号の説明】
【００７１】
１１０    支持台
１２０    スクリーンモジュール
１３０    コンテンツ受信モジュール
１４０    コンテンツ判断モジュール
１５０    スクリーン駆動制御モジュール
１５１    第１回動ベース
１５１ａ    第１回動モータ
１５１ｂ    第１回転軸
１５２    第２回動ベース
１５２ａ    第２回動モータ
１５２ｂ    第２回転軸
１５３    第３回動ベース
１５３ａ    第３回動モータ
１５３ｂ    第３回転軸
１６０    コンテンツ再生モジュール
１７０    カメラモジュール
１８０    モーションセンサ
【図１】
2015026356.tif 000003
【図２】
2015026356.tif 000004
【図３】
2015026356.tif 000005
【図４】
2015026356.tif 000006
【図５】
2015026356.tif 000007
【図６】
2015026356.tif 000008